(57)【要約】【課題】蛍光物質が含有された筆跡で筆記が行え、この筆跡に蛍光物質が発色する波長の光を照射することにより、筆記中の筆跡を簡単に確認できるとともに、筆記された文章をどんな場所でも容易に発色させて確認でき、非常に使い勝手が良い筆記具を提供する。【解決手段】蛍光物質が含有されたシャープペンシル用芯１で筆記を行う筆記具において、蛍光物質が発色する波長の光を発光するライトを筆記中の筆跡を照射できる位置に取り付ける。【選択図】        図１
2005059412.tif 000002
【特許請求の範囲】
【請求項１】
蛍光物質が含有された筆跡が得られる筆記具において、前記蛍光物質が発色する波長の光を発光するライトを取り付けたことを特徴とする筆記具。
【請求項２】
少なくとも無色の形成材と通常の状態では無色の蛍光物質から固形筆記体を構成し、通常の状態では筆跡が無色となることを特徴とする請求項１記載の筆記具。
【請求項３】
無色及びまたは白色の形成材と通常の状態では白色の蛍光物質から固形筆記体を構成し、通常の状態では筆跡が白色となることを特徴とする請求項１記載の筆記具。
【請求項４】
白色の形成材と通常の状態では無色の蛍光物質から固形筆記体を構成し、通常の状態では筆跡が白色となることを特徴とする請求項１記載の筆記具。
【請求項５】
蛍光物質が含有されたシャープペンシル用芯により筆記を行う筆記具において、前記蛍光物質が発色する波長の光を発光するライトを取り付けたことを特徴とする筆記具。
【請求項６】
少なくとも樹脂、ワックス、粘土、シリカを単独もしくは組み合わせた形成材と体質材と蛍光物質からシャープペンシル用芯を構成し、筆跡が白色となることを特徴とする請求項５記載の筆記具。
【請求項７】
筆記中の筆跡に光を照射できる位置にライトを取り付けたことを特徴とする請求項１乃至６のいずれかに記載の筆記具。
【請求項８】
筆記具の先端で筆記を行うとともに、軸筒の前部に先端方向に向かって発光するライトを取り付けたことを特徴とする請求項７記載の筆記具。
【請求項９】
ライトを、ピーク波長が３００ｎｍ以上で４１０ｎｍ以下の紫外線を発光する発光ダイオードで構成したことを特徴とする請求項１乃至８のいずれかに記載の筆記具。
【発明の詳細な説明】
【技術分野】
【０００１】
本発明は、蛍光物質が含有された筆跡で筆記を行うことができ、かつ蛍光物質が発色する波長の光を発光するライトを取り付けた筆記具に関するものである。
【背景技術】
【０００２】
従来、蛍光物質が含有され紫外線で発色する固形筆記体が知られている。（特許文献１参照）
【特許文献１】特開平８−１６５４５０号公報
【発明の開示】
【発明が解決しようとする課題】
【０００３】
解決しようとする課題は、蛍光物質が含有された筆跡で筆記を行う筆記具は開発されたが、紫外線を発光するブラックライトで筆跡を照射しなければ筆跡が発色されず、筆記をする場所や筆跡を見る場所が制限されてしまい、使用環境が非常に制限されてしまうものであった。
特に、通常の状態即ち太陽光や白色光の元では無色あるいは白色の筆跡で目視できず、特定の波長を有する紫外線を照射した時にのみ筆跡が発色し書かれた文書が確認できるような使い方をした場合には、紫外線を照射した状態でなければ全く筆記することができなかった。
【課題を解決するための手段】
【０００４】
本発明は、蛍光物質が含有された筆跡が得られる筆記具において、前記蛍光物質が発色する波長の光を発光するライトを取り付けたことを第１の要旨とする。
【０００５】
また、少なくとも無色の形成材と通常の状態では無色の蛍光物質から固形筆記体を構成し、通常の状態では筆跡が無色となることを第２の要旨とする。
【０００６】
更に、無色及びまたは白色の形成材と通常の状態では白色の蛍光物質から固形筆記体を構成し、通常の状態では筆跡が白色となることを第３の要旨とする。
【０００７】
更にまた、白色の形成材と通常の状態では無色の蛍光物質から固形筆記体を構成し、通常の状態では筆跡が白色となることを第４の要旨とする。
【０００８】
更にまた、蛍光物質が含有されたシャープペンシル用芯により筆記を行う筆記具において、前記蛍光物質が発色する波長の光を発光するライトを取り付けたことを第５の要旨とする。
【０００９】
更にまた、少なくとも樹脂、ワックス、粘土、シリカを単独もしくは組み合わせた形成材と体質材と蛍光物質からシャープペンシル用芯を構成し、筆跡が白色となることを第６の要旨とする。
【００１０】
更にまた、筆記中の筆跡に光を照射できる位置にライトを取り付けたことを第７の要旨とする。
【００１１】
更にまた、筆記具の先端で筆記を行うとともに、軸筒の前部に先端方向に向かって発光するライトを取り付けたことを第８の要旨とする。
【００１２】
更にまた、ライトを、ピーク波長が３００ｎｍ以上で４１０ｎｍ以下の紫外線を発光する発光ダイオードで構成したことを第９の要旨とする。
【発明の効果】
【００１３】
本発明の筆記具は、蛍光物質が含有された筆跡で筆記が行えるとともに、筆記具に蛍光物質が発色する波長の光を発光するライトが取り付けられているので、筆記中に筆跡を確認したり、筆記された文書をどんな場所でも発色させて確認でき、非常に使い勝手が良いという効果が奏せられる。
【００１４】
また、筆記中の筆跡を照射できる位置にライトを取り付けた筆記具は、ブラックライトがない場所でも筆跡を発色させることができ、片手でブラックライトを照射し片手で筆記を行うといった操作が必要なくなり、ライトを照射した状態で筆記を行えば筆記中に筆跡が発色するので、発色した筆跡を確認しながらの筆記作業が飛躍的に向上するという効果が奏せられるものである。
【発明を実施するための最良の形態】
【００１５】
蛍光物質が含有された筆跡で筆記を行うことができ、かつ蛍光物質が発色する波長の光を発光するライトを筆記具に取り付けることにより、場所を選ばずに蛍光物質が発色した筆跡を確認できる筆記具を実現した。
【実施例】
【００１６】
図１、図２、図３、図４、図５、図６及び図７により本発明の実施例１を説明する。尚、図１の左側を前方とし右側を後方とする。また、筆記具としては従来一般的に使われているノックを行うことにより芯を繰り出すノック式シャープペンシルで説明する。また、使用する芯１は骨格となる形成材が白色で無色の有機蛍光顔料を含有したシャープペンシル用芯を用いる。
【００１７】
従来一般的に知られているノック式シャープペンシルの軸筒２の側部に隆起部２Ａを形成し、この隆起部２Ａに発光ダイオード３、ピン形リチウム電池４及びスイッチ５を内蔵してライトを構成する。このライトの構成を更に詳しく説明すると、図１、図２及び図３において、軸筒２の隆起部２Ａに後方より開口した孔部２Ｂを形成し、該孔部２Ｂの先端に発光ダイオード３が突出する開口窓２Ｃを形成する。また、孔部２Ｂのほぼ中間部側面に、前方が太幅２Ｄで後方が細幅２Ｅの係止窓２Ｆを形成する。この孔部２Ｂにまず発光ダイオード３を挿入し、この発光ダイオード３が前記開口窓２Ｃより適宜突出する。この発光ダイオード３はピーク波長が３００ｎｍ以上で４１０ｎｍ以下の紫外線を発光するが、特にピーク波長が３８０ｎｍ以上で４１０ｎｍ以下が好ましい。次にピン形リチウム電池４（Ｎａｔｉｏｎａｌ製ＢＲ４２５／２Ｂ又はＢＲ４３５／２Ｂ）を内蔵し、前記発光ダイオード３とピン形リチウム電池４の間に電気伝導体からなるコイルスプリング６を張架し、接点Ａと接点Ｂを接続する。また、コイルスプリング６によりピン形リチウム電池４は長手方向後方に付勢され、消灯時は接点Ｃと接点Ｄは適宜離間している。
【００１８】
更に、スイッチ５を挿入するが、このスイッチ５は前部５Ａが撓み可能に形成するとともにその後方に弾性片５Ｂを形成する。弾性片５Ｂには外側に突出した係止部５Ｃと、係止部５Ｃより細幅で更に外側に突出した操作部５Ｄが形成され、消灯時には操作部５Ｄが軸筒２の細幅２Ｅの係止窓２Ｆに位置する。また、スイッチ５の後端部５Ｅは孔部２Ｂより適宜後方に突出している。
【００１９】
次に発光ダイオード３を点灯させる操作を説明すると、図１の消灯状態からスイッチ５の後端部５Ｅを押圧し、スイッチ５を前進させる。すると、ピン形リチウム電池４が前進し、接点Ｃと接点Ｄが接触して発光ダイオード３が発色し、紫外線が照射される。更にスイッチ５を前進させると、スイッチ５の前部５Ａが撓んで適宜の力でピン形リチウム電池４を前方に付勢する。そして弾性片５Ｂの係止部５Ｃが軸筒２の太幅２Ｄの係止窓２Ｆに嵌りスイッチ５が係止され図４、図５、図６及び図７に示した状態となる。従って、発光ダイオード３によりノック式シャープペンシルの筆記部に紫外線が照射され、筆記中の筆跡が発色する。
【００２０】
従って、筆記中は発光ダイオード３が点灯しているので筆記に集中することができ、片手でライトを持って筆跡を照射させながら筆記を行うといった煩わしい操作は全く必要としない。
【００２１】
また、筆記が終了し発光ダイオード３を消灯する場合には、スイッチ５の操作部５Ｄを側方より内側に押圧すれば、弾性片５Ｂの係止部５Ｃが太幅２Ｄの係止窓２Ｆより外れ、コイルスプリング６の力でピン形リチウム電池４及びスイッチ５が後退し、接点Ｃと接点Ｄが離間して図１、図２及び図３の状態に復帰する。
【００２２】
以上説明した実施例１は、発光ダイオード３が筆記具の前部に位置し、発光した紫外線で筆跡を直接に照射できるので、筆跡が鮮明に発色する利点が得られる。
【００２３】
図８、図９、図１０及び図１１は本発明の実施例２を示したもので、図１と同一の部品は同一の符号を付して説明は省略する。先ず図８の消灯状態を説明すると、口金７を透明で光伝導性の合成樹脂で形成し、この口金７内に芯１を適宜の摩擦力で保持するゴム製の芯ホルダー８を形成する。また、チャック９の頭部９Ａに締具１０を外嵌する。この締具１０を支えるワッシャー１１と、チャック９の後部に固着された芯タンク１２の間にスプリング１３を張架し、チャック９が締具１０に押されて閉じられ芯１を強く保持する。また、軸筒１０２を透明で光伝導性の合成樹脂で形成し、この軸筒１０２の前端より前記芯タンク１２を挿入する。そして、軸筒１０２の前部に前記口金７を螺合して取り付け、口金７の内段７Ａと軸筒１０２の前端によりワッシャー１１を挾持する。
また、透明で光伝導性の合成樹脂で形成されたケース１４の孔部１４Ａに発光ダイオード３を挿入する。次にピン形リチウム電池４を内蔵し、前記発光ダイオード３とピン形リチウム電池４の間に電気伝導体からなるコイルスプリング６を張架し、接点Ａと接点Ｂを接続する。また、コイルスプリング６によりピン形リチウム電池４は長手方向後方に付勢され、消灯時は接点Ｃと接点Ｄが適宜離間している。このケース１４の後部にスイッチ１０５を螺合して取り付ける。このスイッチ１０５の前部１０５Ａは撓み可能に形成される。このスイッチ１０５の後部内側１０５Ｂには消しゴム１５が設けられ、また、スイッチ１０５の後部外側１０５Ｃには消しゴム１５を覆うノブ１６が嵌合される。尚、スイッチ１０５の後部外側１０５Ｃとノブ１６の内孔１６Ａは、断面が非円形に形成され、互いに回動はしない形状になっている。
【００２４】
このケース１４を軸筒１０２の後方より挿入し、ケース１４の前部１４Ｂを芯タンク１２の内孔１２Ａに嵌合する。また、ケース１４のキー１４Ｃが軸筒１０２のキー溝１０２Ａに挿入され、ケース１４は軸筒１０２に対して長手方向には摺動するが回動は不可能に構成される。
【００２５】
次に、発光ダイオード３を点灯させる操作を説明すると、図８の消灯状態からノブ１６を正回転し、スイッチ１０５を前進させる。すると、スイッチ１０５に押されてピン形リチウム電池４が前進し、接点Ｃと接点Ｄが接触し図１１に示した状態となる。従って、発光ダイオード３から発光された紫外線がケース１４及び軸筒１０２を伝わって口金７の先端より発光し、先端部に紫外線が照射される。
【００２６】
この状態でノブ１６をノックし芯１を繰り出して筆記を行えば、筆記中の筆跡が紫外線により発色し、筆跡を目視しながら筆記を行うことができる。
【００２７】
また、発光ダイオード３を消灯する場合には、ノブ１６を逆回転し、スイッチ１０５を後退させる。するとコイルスプリング６の力でピン形リチウム電池４が後退し、接点Ｃと接点Ｄが離間して図８の状態に復帰する。
【００２８】
この実施例２は、ノック式シャープペンシルの把持部にライトが位置しないので、筆記する時にライトが邪魔にならず、把持部が筆記し易い形状にできる利点が得られる。
【００２９】
以上説明した実施例において、ノック式シャープペンシル用芯は、骨格となる形成材が白色で蛍光物質が無色で形成され、通常の筆跡は目視できないもので説明したが、本発明のシャープペンシル用芯としては、骨格を着色した芯で構成することも可能である。この場合には、紫外線を照射することにより鮮やかな発色が得られる筆跡となる。
【００３０】
また、上記実施例は筆記中の筆跡を照射できる位置にライトを取り付けたが、本発明は上記実施例に限定されるものではなく、ライトはどの位置に取り付けても良いし、取り外し可能に取り付けることも可能である。また、発光ダイオードを発光させるためのスイッチは従来知られている照明ライト用の種々のスイッチが利用可能であり、上記実施例に限定されるものではない。更に、電池もピン形リチウム電池に限らずボタン電池等種々のものが利用可能である。
【００３１】
更に、筆記具はノック式シャープペンシルに限定されるものではなく、サインペンやボールペン、あるいは固形筆記体を保持したり繰り出すホルダーであっても勿論可能である。
【００３２】
更にまた、蛍光物質が含有された筆跡が得られるものとしては、ボールペン用のインキであってもサインペン用のインキであっても良いが、好ましくは固形筆記体、特にはシャープペンシル用芯が、消去可能であること、また固形であるため乾燥しにくいなど、経時安定性が良好であるなどの点で好ましい。
【００３３】
次に、シャープペンシル用芯について具体的に説明すると、少なくとも樹脂、ワックス、粘土、シリカを単独もしくは組み合わせた形成材と体質材と蛍光物質とから構成され、例えば樹脂としてニトロセルロース、滑材としてステアリン酸、ワックスとしてポリエチレンワックス、体質材としてタルク、無機蛍光顔料（ＣａＷＯ４）を用い、前記材料をニーダー、三本ロールにて混練して混練物を作製し、押出成形して外径０．９ｍｍφのシャープペンシル用芯とした。このシャープペンシル用芯の筆跡は、通常の状態では白色となり、紫外線を当てたところ青色の筆記線が呈色された。また前記材料の無機蛍光顔料の代わりに青色に呈色する有機蛍光顔料を用いて、同様の方法にてシャープペンシル用芯を作製したところ、その筆跡は通常の状態では白色となり、紫外線下では同様に青色の筆記線が呈色された。以上非焼成型のものを挙げたが、他の例として、粘土としてセリサイト系粘土、体質材として窒化硼素、溶剤として水、無機蛍光顔料（ＣａＷＯ４）を用い、ニーダー、三本ロールにて混練して混練物を作製し、押出成形したのち、８００℃で焼成して外形０．９ｍｍφのシャープペンシル用芯とした。この芯は、粘土と窒化硼素、無機蛍光顔料（ＣａＷＯ４）とで構成され、強度が強く、書き味も良好であり、その筆跡は通常の状態では白色となり、紫外線下では青色の筆記線が呈色された。なお、上記材料以外に通常の有色顔料や有色染料も、必要に応じて添加することができる。
【００３４】
固形筆記体としては、例えばゲル化剤としてステアリン酸ナトリウム、保湿剤としてグリセリン、溶剤として水、有機蛍光染料（フルオレセインナトリウム）を用い、前記材料を９０℃前後に加熱溶解して混合させたのち、所定の型材に充填し、冷却・固化して、外形８ｍｍφの固形筆記体とした。この固形筆記体の筆跡は、通常の状態では無色となり、白紙上、黒紙上においても透明な筆跡であり、紫外線を当てたところ、黄緑色の筆記線が呈色された。また書き味がきわめて好ましく、ゲル化剤の透明性が蛍光物質の発色を引き立てるという効果を奏する。なお、有機蛍光染料の代わりに無機蛍光顔料を用いることにより、通常の状態では白色の筆跡となる固形筆記体が得られる。固形筆記体の他の例としては、ワックスとして木ろうおよびパラフィンワックス、無機蛍光顔料（Ｚｎ２ＧｅＯ４；Ｍｎ）を用い、８５℃前後に加熱溶解して、所定の型に流し込み、固化させて通常クレヨンと称されている固形筆記体とすることもでき、この場合通常の状態では白色の筆跡となり、紫外線下では緑色の筆記線が呈色された。以上の固形筆記体においては、樹脂やワックス、ゲル化剤、粘土などが筆記体の骨格となる形成材としての働きを担っており、これに蛍光物質を配合したものが基本構成となっている。この他タルク、窒化硼素などの体質材や通常の有色顔料、有色染料なども必要に応じて添加することができる。
【００３５】
なお、ワックスとしては上記の材料の他に、従来公知のワックスも用いることができ、例えば蜜ろう、マイクロクリスタリンワックス、ポリエチレンワックス、キャンデリラワックス、モンタンワックスなどが挙げられる。また樹脂としては、従来公知の天然樹脂、合成樹脂が用いられ、例えばポリビニルアルコール、ポリアクリルアマイド、ポリ塩化ビニル、ポリ酢酸ビニル、カルボキシメチルセルロース、メチルセルロース、アラビアガムなどが挙げられる。ゲル化剤としては、パルミチン酸ナトリウム、ミリスチン酸ナトリウムなどの脂肪族カルボン酸のアルカリ金属塩や、ジベンジリデンソルビトール類、ベンザル化ソルビット、アミノ酸系油などが挙げられる。蛍光物質としては、有機蛍光染料、有機蛍光顔料、無機蛍光顔料が用いられ、有機蛍光染料としては、フルオレセイン、ローダミンや、ジアミノスチルベン系、イミダゾール系、クマリン系、ナフタルイミド系などの蛍光増白染料が挙げられる。有機蛍光顔料としては、合成樹脂中に上記染料を溶解させて固溶体とした粉末が挙げられる。無機蛍光顔料としては、例えばＹ２Ｏ３：Ｅｕ  、ＺｎＳ：Ｍｎ  、ＺｎＯ：Ｚｎ  、ＺｎＳ：Ａｇ  、ＭｇＷＯ４    、Ｚｎ２ＳｉＯ４：Ｍｎなどが挙げられる。
【００３６】
ここで、通常の状態において無色の筆跡とするためには、形成材として無色のゲル化剤を用い、蛍光物質として無色の有機蛍光染料あるいは有機蛍光顔料を用いる。白色の筆跡とするためには、樹脂、ワックス、粘土、シリカ、ゲル化剤などの無色及びまたは白色の形成材と白色の蛍光物質を用いるか、あるいは樹脂、ワックス、粘土、シリカなどの白色の形成材と無色の蛍光物質を用いる。
【産業上の利用可能性】
【００３７】
筆記中の筆跡を蛍光物質が発色する波長の光を発光するライトで照射できるので、場所を選ばず、しかも簡単な操作で筆記中の筆跡を発色することができる。
【図面の簡単な説明】
【００３８】
【図１】本発明の実施例１の筆記具を示す断面図である。（実施例１）
【図２】図１のＡ−Ａ線を示す拡大断面図である。（実施例１）
【図３】図１の軸筒の係止窓とスイッチの係止部を示す主要部拡大状態図である。（実施例１）
【図４】実施例１の筆記具において、ライトが点灯した状態を示す断面図である。（実施例１）
【図５】図４のＡ−Ａ線を示す拡大断面図である。（実施例１）
【図６】図４の軸筒の係止窓とスイッチの係止部を示す主要部拡大状態図である。（実施例１）
【図７】図４の主要部を示す拡大断面図である。（実施例１）
【図８】本発明の実施例２の筆記具を示す断面図である。（実施例２）
【図９】図８のＡ−Ａ線を示す拡大断面図である。（実施例２）
【図１０】図８のＢ−Ｂ線を示す拡大断面図である。（実施例２）
【図１１】実施例２の筆記具において、ライトが点灯した状態を示す断面図である。（実施例２）
【符号の説明】
【００３９】
１  芯
２  軸筒
３  発光ダイオード
４  ピン形リチウム電池
５  スイッチ
１０２  軸筒
１０５  スイッチ
【図１】
2005059412.tif 000003
【図２】
2005059412.tif 000004
【図３】
2005059412.tif 000005
【図４】
2005059412.tif 000006
【図５】
2005059412.tif 000007
【図６】
2005059412.tif 000008
【図７】
2005059412.tif 000009
【図８】
2005059412.tif 000010
【図９】
2005059412.tif 000011
【図１０】
2005059412.tif 000012
【図１１】
2005059412.tif 000013